(57)【特許請求の範囲】
【請求項１】
弾力性を有する合成樹脂発泡体からなる断熱芯材と、
前記断熱芯材の表裏面を被覆して、外力を加えると弾性変形する合成樹脂製シートまたは合成樹脂製フィルムからなる被覆樹脂と、
前記被覆樹脂に挟まれた前記断熱芯材の側面に形成された複数のコーナーに配設されて、前記コーナーから所定の範囲にわたって前記断熱芯材の側面に沿って延びる延設板を有する非発泡性の合成樹脂からなるコーナーピースと、
前記断熱芯材および前記被覆樹脂の側面を被覆して、前記複数のコーナーで分断されてなる複数のエッジプロテクターと、
を備え、
前記エッジプロテクターは、その両端部を前記延設板の上に重ねた状態で、前記コーナーピースと超音波溶着させて、前記エッジプロテクターと前記コーナーピースとを一体化したことを特徴とする風呂蓋。
【請求項２】
前記コーナーピースは、外部に露出する角部材を備え、
前記延設板は、硬質樹脂により成形し、
前記角部材は、前記延設板よりも軟質な樹脂により成形したことを特徴とする請求項１記載の風呂蓋。
【請求項３】
前記延設板の表面に溶着リブを形成したことを特徴とする請求項２記載の風呂蓋。
【発明の詳細な説明】
【技術分野】
【０００１】
本発明は、浴槽のリムに載置して浴槽に蓋をする風呂蓋に関する。
【背景技術】
【０００２】
特許文献１に示す平板状の風呂蓋は、合成樹脂発泡体の断熱芯材と、断熱芯材の表裏面を被覆するアルミ等の金属薄板からなる補強用の被覆材とを積層してなる蓋本体の周縁部に、合成樹脂製のエッジプロテクターを嵌着して構成されている。このエッジプロテクターは、内側が硬質合成樹脂、外側が軟質合成樹脂の二色押出成形により得られている。そして、エッジプロテクターの継ぎ目部分は、超音波溶着によって接合されている。
【０００３】
ところで、このような従来の平板状の風呂蓋は、一枚で約２ｋｇの重量があるため、高齢者にとっては扱いにくかった。本出願人は、一枚あたりの重量を９００ｇ以下に抑えれば、高齢者が片手で手軽に取り扱えるようになるとの知見を得たが、従来の風呂蓋は、補強のために断熱芯材の表裏面を被覆していた金属薄板あるいは硬質合成樹脂製薄板からなる被覆材が軽量化の障害となっていた。
そこで、本出願人は、金属薄板あるいは硬質合成樹脂製薄板からなる被覆材を用いずに軽量な風呂蓋を得るために、鋭意検討を加えた結果、断熱芯材の表裏面を合成樹脂製シートまたはフィルムで被覆することにより、一枚あたりの重量を９００ｇ以下に抑えることができるとの知見を得た。
【先行技術文献】
【特許文献】
【０００４】
【特許文献１】実登３０３０８０１号公報
【発明の概要】
【発明が解決しようとする課題】
【０００５】
ところが、断熱芯材の表裏面を合成樹脂製シートまたはフィルムで被覆した風呂蓋は、表面に金属薄板や合成樹脂板を用いていないので、全体的に弾力性があり、外力を加えると表面が弾性変形してしまう。
そのため、エッジプロテクターの端部を超音波溶着しようとしても、ホーンの圧力によって面が変形してしまい、超音波振動が良好に伝わらずに安定した溶着を得ることができない、という問題が生じた。
そこで、本発明は、断熱芯材の表裏面を合成樹脂製シートまたはフィルムで被覆した風呂蓋において、周縁部を被覆するエッジプロテクターの端部を超音波溶着によって接合することを目的とする。
【課題を解決するための手段】
【０００６】
上記した課題を解決するために、本発明の風呂蓋は、弾力性を有する合成樹脂発泡体からなる断熱芯材と、前記断熱芯材の表裏面を被覆して、外力を加えると弾性変形する合成樹脂製シートまたは合成樹脂製フィルムからなる被覆樹脂と、前記被覆樹脂に挟まれた前記断熱芯材の側面に形成された複数のコーナーに配設されて、前記コーナーから所定の範囲にわたって前記断熱芯材の側面に沿って延びる延設板を有する硬質樹脂製のコーナーピースと、前記複数のコーナーごとに途切れるようにして、前記断熱芯材および前記被覆樹脂の側面を被覆してなる複数のエッジプロテクターと、を備え、前記エッジプロテクターは、その両端部を前記延設板の上に重ねた状態で、前記コーナーピースと超音波溶着させて、前記エッジプロテクターと前記コーナーピースとを一体化したことを特徴とする。
【０００７】
本発明の風呂蓋は、従来の風呂蓋をさらに軽量化するために、弾力性を有する合成樹脂発泡体からなる断熱芯材の表裏を、外力を加えると弾性変形する合成樹脂製シートまたは合成樹脂製フィルムからなる被覆樹脂で被覆している。そのため、超音波溶着用のホーンによってエッジプロテクターの表面を加圧しても、エッジプロテクターの端部の裏には非発泡性の樹脂からなるコーナーピースの延設板が配設されているので、その延設板がホーンの加圧を受け止めることができる。そのため、延設板が溶着代となって、エッジプロテクターの端部とコーナーピースとを安定的に超音波溶着することができる。したがって、高齢者が片手で手軽に取り扱うことができる程度に軽量化されて、エッジプロテクターが剥れにくく、美観に優れた風呂蓋を提供することが可能となる。
【０００８】
また、前記コーナーピースは、外部に露出する角部材を備え、前記延設板は、硬質樹脂により成形し、前記角部材は、前記延設板よりも軟質な樹脂により成形してもよい。
この硬質樹脂としては、例えば、ＡＢＳ（アクリロニトリル・ブタジエン・スチレン樹脂）、ＰＰ（ポリプロピレン樹脂）のような素材を用いることができる。また、軟質な樹脂としては、ＴＰＯ(オレフィン系エラストマー)、ＴＰＳ（スチレン系エラストマー）のような素材を用いることができる。
【０００９】
これによれば、溶着代となる延設板を、超音波溶着用のホーンの加圧を受け止めるべく、硬質樹脂としつつも、コーナーピースの外部に露出する角部材は軟質樹脂製としているので、風呂蓋の角は軟質な樹脂で覆われる。よって、風呂蓋の角が壁にあたってもキズがつきにくい。
【００１０】
また、前記延設板の表面に、溶着リブを形成してもよい。
【００１１】
これによれば、超音波溶着によって溶解する溶着リブを硬質樹脂側に形成するので、さらに超音波溶着を安定的に行うことができる。
【発明の効果】
【００１２】
本発明によれば、断熱芯材の表裏面を合成樹脂製シートまたはフィルムで被覆した風呂蓋において、周縁部を被覆するエッジプロテクターの端部を超音波溶着によって接合することが可能となる。
【図面の簡単な説明】
【００１３】
【図１】本発明の実施の形態にかかる風呂蓋を浴槽に載せた状態を示す斜視図である。
【図２】本発明の実施の形態にかかる風呂蓋の突合せ部の端部の角部を示す斜視図である。
【図３】図２に示す風呂蓋の角部の上面図である。
【図４】図１に示す風呂蓋のＸ−Ｘ断面図である。
【図５】風呂蓋のエッジプロテクターを示す側面図である。
【図６】風呂蓋のコーナーピースを示す斜視図である。
【図７】図６に示すコーナーピースを裏側から示す背面斜視図である。
【図８】図６に示すコーナーピースの上面図である。
【図９】風呂蓋の本体部の角部を示す斜視図である。
【図１０】風呂蓋のコーナー部を超音波溶着する状態を示す模式図である。
【発明を実施するための形態】
【００１４】
以下、図面に基づいて本発明の実施の形態を説明する。
図１は、本発明の実施の形態にかかる風呂蓋を浴槽に載せた状態を示す斜視図、図２は、本発明の実施の形態にかかる風呂蓋の突合せ部の端部の角部を示す斜視図、図３は、図２に示す風呂蓋の角部の上面図、図４は、図１に示す風呂蓋のＸ−Ｘ断面図、図５は、風呂蓋のエッジプロテクターを示す側面図、図６は、風呂蓋のコーナーピースを示す斜視図、図７は、図６に示すコーナーピースを裏側から示す背面斜視図、図８は、図６に示すコーナーピースの上面図、図９は、風呂蓋の本体部の角部を示す斜視図である。
【００１５】
本実施形態の風呂蓋１０は、上方から見た時の平面視において略四角形状に形成され、その周縁部に、浴槽２０のリムに載せられる載置部と、もう一つの風呂蓋の端部と突き合わせることによって浴槽２０を密閉状に覆う突合せ部と、を有する。この風呂蓋１０は、２枚で一組となって浴槽２０の長手方向に並べて配置されて浴槽２０の開口を塞ぎ、浴槽内に貯留された湯の熱が外へ逃げることを防いでいる。
【００１６】
図２、図３に示すように、風呂蓋１０は、本体部１１と、本体部１１の周囲を覆うエッジプロテクター１２と、本体部１１において突合せ部の両端となる角部において２つのエッジプロテクター１２を接合するコーナーピース１３と、を備えている。
【００１７】
図４に示すように、本体部１１は、板状の断熱芯材１１１と、断熱芯材１１１の表裏面を被覆する被覆樹脂となる表面シート１１３と、を有する。
【００１８】
断熱芯材１１１は、外力を加えると弾性変形する発泡樹脂からなり、撓み性及び断熱性を有する。断熱芯材１１１は、例えば、JIS K6767で規定された測定方法によって算出された圧縮永久ひずみが２０％以下であり、さらに撓み性を有する。圧縮永久ひずみは、材料に荷重を負荷した後、その荷重を除去したときに材料に残ったひずみである。
【００１９】
圧縮永久ひずみが２０％以下、且つ、撓み性を有する断熱芯材とするために用いる発泡樹脂として、例えば、発泡ポリプロピレン、発泡ポリエチレン、軟質発泡ウレタン、発泡ＥＶＡ（Ethylene-Vinyl Acetate）、ポリプロピレンやポリエチレンからなるハイブリット発泡材、発泡ポリ塩化ビニル、エラストマー発泡体、ゴム発泡体などが挙げられる。本実施形態では、例えば、厚さが２０ｍｍのビーズ発泡させた発泡ポリプロピレン（ＥＰＰ）を断熱芯材１１１として使用している。
【００２０】
表面シート１１３は、断熱芯材１１１よりも薄く、例えば、厚さが０．２５ｍｍのオレフィン系樹脂のシートからなる。表面シート１１３は、外力を加えると弾性変形する弾性を有する。あるいは、表面シート１１３として、外力を加えると弾性変形する弾性を有する合成樹脂製の薄いフィルムを用いてもよい。
【００２１】
図５に示すように、エッジプロテクター１２は、軟質樹脂製の保護部１２１と、保護部１２１よりも硬質な硬質樹脂製の補強部１２２とを有する。
【００２２】
補強部１２２は、例えば、ポリプロピレン、ポリエチレンなどのオレフィン系樹脂からなる。保護部１２１は、例えば、オレフィン系エラストマーからなる。
【００２３】
保護部１２１は、本体部１１の表裏面１１ｂの外縁部から側面１１ａにわたる領域を、本体部１１の縁に沿って連続して覆っている。すなわち、保護部１２１は、本体部１１の表裏面と側面とがなす角部を覆っている。
【００２４】
エッジプロテクター１２は、断熱芯材１１１の側面１１ａ部分においてホットメルト系接着剤によって接着されている。これは、接着時間を短縮して製造工程における待ち時間を短くするためである。
【００２５】
また、保護部１２１は、ホットメルト系接着剤で接着した際に、側面１１ａからはみ出た接着剤を覆い隠し、美観を保持する機能を有している。保護部１２１はその他にも接着部への水浸入防止や強度確保などの機能も有している。
【００２６】
図６〜図８に示すように、コーナーピース１３は、２枚の延設板１３１を略直角に連設させて、角に角部材１３３を設けて、本体部１２の角部の形状に沿う略Ｌ字状に形成されている。このコーナーピース１３は、本体部１２の角部の側面１１ａに配設される（図２，３参照）。
この延設板１３１は、例えば、ＡＢＳ（アクリロニトリル・ブタジエン・スチレン樹脂）、ＰＰ（ポリプロピレン樹脂）のような硬質樹脂で形成される。また、角部材１３３は、例えば、ＴＰＯ(オレフィン系エラストマー)、ＴＰＳ（スチレン系エラストマー）のような、延設板１３１よりも柔らかい軟質樹脂を用いることができる。
【００２７】
また、図９に示すように、本体１１の角部の側面１１ａには切欠き１１１ｂが設けられている。これはコーナーピース１３を本体１１の角部の側面１１ａに配設した際に、延設板１３１の厚みがあってもエッジプロテクター１２が波打つことなく、エッジプロテクター１２とコーナーピース１３の角部材１３３とを面一にすることができるように設けられたものである。
そして、切欠き１１１ｂには水平方向に溝１１１ａが形成されており、コーナーピース１３に設けたリブ１３５を挿入することができる。この溝１１１ａへのリブ１３５の挿入により、風呂蓋組立時の上下方向の位置決めを容易に行うことが出来る。
【００２８】
なお、コーナーピース１３は、断熱芯材１１１の側面１１ａおよび溝１１１ａ部分においてホットメルト系接着剤によって接着されている。これは、接着時間を短縮して製造工程における待ち時間を短くするためである。
【００２９】
コーナーピース１３をホットメルト系接着剤で接着する際に、はみ出た接着剤を覆い、美観を保持する目的で、コーナーピース１３の角部材１３３の上下端に、保護部１３３ａを有している。この保護部１３３ａを有する角部材１３３は、全体を前述したような軟質樹脂製としてもよいし、保護部１３３ａのみを軟質樹脂製としてもよい。保護部１３３ａは、エッジプロテクター１２の保護部１２１の断面と略一致するように形成されており、本体部１２の角部でエッジプロテクター１２を接合した際に、エッジプロテクター１２とコーナーピース１３が一体的に設置されているように見えるよう配慮されている。
【００３０】
コーナーピース１３の延設板１３１の表面側には溶着リブ１３１ａが形成されており、エッジプロテクター１２の硬質樹脂部製の補強部１２２の裏面が超音波溶着により接合される。
図１０は、風呂蓋のコーナー部を超音波溶着する状態を示す模式図である。
超音波溶着は、図１０に示すようにエッジプロテクター１２とコーナーピース１３とを重ね合わせた状態で、超音波溶着ホーン３００で加圧および超音波振動を与えることによりなされる。この時溶着リブ１３１ａが選択的に加熱・溶融されることにより、エッジプロテクター１２の補強部１２２と延設板１３１とを強固に接合することが出来る。
【００３１】
また、延設板１３１はホーンの加圧に対して、断熱芯材１１１および表面シート１１３が変形しにくいようにするために、リブ幅に対して十分広い平面部を有している。そのため、弾性変形しやすい断熱芯材１１１および表面シート１１３の上からホーン３００を当てても安定的に溶着を行うことが出来る。溶着リブ１３１ａは溶着すると溶融して厚みがほぼなくなるため、コーナーピース１３の角部材１３３とエッジプロテクター１２１はフラットにすることができる。そのため美観に優れた仕上がりとなる。
【００３２】
以上説明した風呂蓋１０は、超音波溶着により溶着されたエッジプロテクター１２の端部は、溶着により強固な接合力を得ることができ、使用者が端部をつかんで風呂蓋を持ち上げたり、保護部１２１に手を付いたりしても、剥がれることがない耐久性に優れた風呂蓋となる。
【符号の説明】
【００３３】
１０            ：風呂蓋
１１            ：本体部
１１１            ：断熱芯材
１１３            ：表面シート（被覆樹脂）
１２            ：エッジプロテクター
１３            ：コーナーピース
１３１            ：延設板
１３１ａ          ：溶着リブ
２０            ：浴槽
【図１】
0006399343.tif 000002
【図２】
0006399343.tif 000003
【図３】
0006399343.tif 000004
【図４】
0006399343.tif 000005
【図５】
0006399343.tif 000006
【図６】
0006399343.tif 000007
【図７】
0006399343.tif 000008
【図８】
0006399343.tif 000009
【図９】
0006399343.tif 000010
【図１０】
0006399343.tif 000011